(57)【要約】【課題】高温になっている操作レバーに触れることなく、圧力逃し弁を開弁状態と閉弁状態とに保持可能であり、メンテナンスが容易な貯湯式給湯機を得ること。【解決手段】給水管及び給湯管が接続され、給水された水及び熱源機により加熱された温水を貯え、前記給湯管から給湯する貯湯タンクと、前記貯湯タンクに設置され、前記加熱された温水の膨張により前記貯湯タンク内の圧力が所定の圧力以上に上がると開弁し、蒸気又は温水を外部へ放出して前記貯湯タンク内の圧力を所定の圧力以下に保持する圧力逃し弁２２と、前記圧力逃し弁２２の開閉を手動操作する第１の操作部２２ｍと、を備える貯湯式給湯機において、前記第１の操作部２２ｍを操作して前記圧力逃し弁２２を開弁状態と閉弁状態とに保持可能な前記第１の操作部２２ｍより伝熱性の低い第２の操作部１５を備える。【選択図】        図４
2010139168.tif 000002
【特許請求の範囲】
【請求項１】
給水管及び給湯管が接続され、給水された水及び熱源機により加熱された温水を貯え、前記給湯管から給湯する貯湯タンクと、
前記貯湯タンクに設置され、前記加熱された温水の膨張により前記貯湯タンク内の圧力が所定の圧力以上に上がると開弁し、蒸気又は温水を外部へ放出して前記貯湯タンク内の圧力を所定の圧力以下に保持する圧力逃し弁と、
前記圧力逃し弁の開閉を手動操作する第１の操作部と、
を備える貯湯式給湯機において、
前記第１の操作部を操作して前記圧力逃し弁を開弁状態と閉弁状態とに保持可能な前記第１の操作部より伝熱性の低い第２の操作部を備えることを特徴とする貯湯式給湯機。
【請求項２】
前記貯湯タンク、圧力逃し弁及び第１の操作部を収容するハウジングを備え、前記第２の操作部は、前記ハウジングに係止され、前記第１の操作部を前記圧力逃し弁の開弁状態と閉弁状態とに保持することを特徴とする請求項１に記載の貯湯式給湯機。
【請求項３】
前記第１の操作部は、前記ハウジングに設けられた孔の内側に配置され、前記第２の操作部は該孔に係止され、前記第２の操作部を該孔から取外したとき、該孔から前記第１の操作部を操作可能であることを特徴とする請求項２に記載の貯湯式給湯機。
【発明の詳細な説明】
【技術分野】
【０００１】
本発明は、貯湯タンクに設置された圧力逃し弁を有する貯湯式給湯機に関するものである。
【背景技術】
【０００２】
従来の貯湯式給湯機では、電気ヒータやヒートポンプユニット等の熱源機により水を加熱して貯湯タンク内に温水（お湯）を貯えると、加熱された温水が膨張して貯湯タンク内の圧力が上昇する。そのため、貯湯タンク内の圧力が所定の圧力値以上に上がったときに開弁し、所定の圧力以下に下がるまで内部の温水を放出する圧力逃し弁が設置されている（例えば、特許文献１参照）。
【０００３】
【特許文献１】特開平１１−１０８４５０号公報（第１頁、図１）
【発明の開示】
【発明が解決しようとする課題】
【０００４】
上記従来の技術によれば、圧力逃し弁に湯垢等が付着し、圧力逃し弁の作動が緩慢になったり作動不良となることがある。そのため、貯湯式給湯機の使用者や管理者に、圧力逃し弁を定期的に作動させる作動メンテナンスの実施を要請している。
【０００５】
しかしながら、上記の従来の技術では、メンテナンスを行なうとき、圧力逃し弁に設けられた操作レバーを操作する必要があり、貯湯タンクユニットハウジングに、レバー操作用の窓を設けたり、操作レバーにワイヤーを接続したりしている。
【０００６】
そのため、レバー操作用の窓を開け、操作レバーにより圧力逃し弁を操作しなければならず、高温になっている操作レバーに触れてしまう、という問題があった。また、ワイヤーで操作するものでは、ワイヤーを引いていなければ圧力逃し弁を排水状態に保つことができず、ワイヤーを引き続けていなければならない、という問題があった。
【０００７】
本発明は、上記に鑑みてなされたものであって、高温になっている操作レバーに触れることなく、圧力逃し弁を開弁状態と閉弁状態とに保持可能であり、メンテナンスが容易な貯湯式給湯機を得ることを目的とする。
【課題を解決するための手段】
【０００８】
上述した課題を解決し、目的を達成するために、本発明は、給水管及び給湯管が接続され、給水された水及び熱源機により加熱された温水を貯え、前記給湯管から給湯する貯湯タンクと、前記貯湯タンクに設置され、前記加熱された温水の膨張により前記貯湯タンク内の圧力が所定の圧力以上に上がると開弁し、蒸気又は温水を外部へ放出して前記貯湯タンク内の圧力を所定の圧力以下に保持する圧力逃し弁と、前記圧力逃し弁の開閉を手動操作する第１の操作部と、を備える貯湯式給湯機において、前記第１の操作部を操作して前記圧力逃し弁を開弁状態と閉弁状態とに保持可能な前記第１の操作部より伝熱性の低い第２の操作部を備えることを特徴とする。
【発明の効果】
【０００９】
この発明によれば、高温になっている操作レバーに触れることなく、圧力逃し弁を開弁状態と閉弁状態とに保持可能であり、メンテナンスが容易な貯湯式給湯機が得られる、という効果を奏する。
【発明を実施するための最良の形態】
【００１０】
以下に、本発明にかかる貯湯式給湯器の実施の形態を図面に基づいて詳細に説明する。なお、この実施の形態によりこの発明が限定されるものではない。
【００１１】
実施の形態
図１は、本発明にかかる貯湯式給湯機の実施の形態を示す模式図であり、図２は、実施の形態の操作ツマミを示す斜視図であり、図３−１は、実施の形態の貯湯式給湯機のハウジングを示す斜視図であり、図３−２は、実施の形態のハウジングの前パネルの一部を裏側から見た斜視図であり、図４は、実施の形態の操作ツマミと圧力逃し弁を示す斜視図であり、図５−１及び図５−２は、実施の形態の操作ツマミと圧力逃し弁の係合状態を示す側面図であり、図６は、実施の形態の圧力逃し弁の断面図である。
【００１２】
図１に示すように、貯湯式給湯機９１は、貯湯タンク１２と、貯湯タンク１２を収容するハウジング１１と、貯湯タンク１２と吸入管１３ａ及び吐出管１３ｂで接続されたヒートポンプユニット等の熱源機１３と、を備えている。熱源機１３としては、貯湯タンク１２内に電気ヒータを設置してもよい。
【００１３】
貯湯タンク１２の下部には、水源に接続された給水管１６が接続され、貯湯タンク１２の上部には、貯湯タンク１２に貯えられた湯を外部へ給湯する給湯管１７が接続されている。給水管１６の中間部には、貯湯タンク１２内の圧力を一定に保つための減圧弁１８が接続され、給湯管１７の中間部には、給湯弁１９が接続されている。また、貯湯タンク１２の下部には、排水管２０が接続され、排水管２０の中間部には、排水栓２１が設けられている。
【００１４】
貯湯タンク１２には、水源から給水管１６を通して常温水が供給され、熱源機１３で加熱された温水が貯蔵される。貯湯タンク１２の上部には、貯湯タンク１２と圧力逃し弁２２とを接続する接続配管１４が接続されている。
【００１５】
圧力逃し弁２２は、ハウジング１１の壁部内側近傍に設置され、圧力逃し弁２２の近傍の壁部に、圧力逃し弁２２を開閉操作する第２の操作部としての操作ツマミ１５が設置され、図示しない排水口に連通する導通管２３が、圧力逃し弁２２に接続されている。
【００１６】
図６に示すように、圧力逃し弁２２は、弁筐体２２ａと、接続配管１４を介して貯湯タンク１２に連通する流入口２２ｂと、導通管２３を介して図示しない排水口に連通する流出口２２ｃと、を有し、流入口２２ｂと流出口２２ｃとの間に隔壁２２ｄが設けられ、隔壁２２ｄに弁口２２ｅが形成されている。
【００１７】
弁筐体２２ａ内に、ダイアフラム式の弁体２２ｆが、弁口２２ｅの周縁に形成された弁座２２ｇに対して接離可能に設置されている。弁体２２ｆは、スプリング２２ｈにより付勢されて弁座２２ｇに圧接され、スプリング２２ｈの付勢力により、常時は、弁口２２ｅが弁体２２ｆにより閉じられている。
【００１８】
弁体２２ｆには、揚弁棒２２ｉの一端が取付けられ、揚弁棒２２ｉの他端部は、弁筐体２２ａの一部を構成するキャップ２２ｊを貫通して弁筐体２２ａの外部に突出し、突出した他端部に、操作レバー軸２２ｋを介して第１の操作部としての操作レバー２２ｍが回動自在に取付けられている。
【００１９】
常時は、圧力逃し弁２２の弁口２２ｅは、弁体２２ｆにより閉じられているが、熱源機１３により貯湯タンク１２内の水が加熱されると、温水の膨張や蒸気圧で、貯湯タンク１２内の圧力が所定圧力以上に上昇する。その圧力により、弁体２２ｆがスプリング２２ｈの付勢力に抗して押し動かされ、弁口２２ｅが開放され、流入口２２ｂと流出口２２ｃが連通し、貯湯タンク１２内の蒸気又は温水が外部に放出され、貯湯タンク１２内の圧力の過剰上昇が防止される。
【００２０】
一方、圧力逃し弁２２のメンテナンスなどのため、圧力逃し弁２２を開放する場合には、操作レバー２２ｍを手動で回動操作する。図６に鎖線で示すように、操作レバー２２ｍの角部２２ｎがキャップ２２ｊに当たり、角部２２ｎが梃子の支点となり、揚弁棒２２ｉが軸方向に移動して、圧力逃し弁２２が開放される。
【００２１】
すなわち、第１の操作部としての操作レバー２２ｍが回動すると、操作レバー２２ｍの梃子の作用により、揚弁棒２２ｉがスプリング２２ｈに抗して引き寄せられ、弁体２２ｆが弁座２２ｇから離間して弁口２２ｅが開放され、この開放状態が保持される。なお、本発明においては、圧力逃し弁２２は、上記の構造のものに限定されるものではない。
【００２２】
図２に示すように、第２の操作部としての操作ツマミ１５は、使用者が操作するツマミ部１５ａと、圧力逃し弁２２を手動で操作する操作レバー２２ｍを操作するカム部１５ｂと、操作ツマミ１５をハウジング１１から外れないように係止するツメ部１５ｃと、圧力逃し弁２２を開弁状態と閉弁状態とに保持するための突起部１５ｄと、を有している。
【００２３】
第２の操作部としての操作ツマミ１５は、第１の操作部としての金属製の操作レバー２２ｍより伝熱性の低い樹脂等により形成され、カム部１５ｂは、ハウジング１１の外側に露出して設置（係止）された操作ツマミ１５ａを回転させることにより、その円筒部が回転する。
【００２４】
図３−１及び図３−２に示すように、操作ツマミ１５はハウジング１１の前パネル１１ａに係止される。操作ツマミ１５の円筒状のカム部１５ｂが、前パネル１１ａへ挿入される。前パネル１１ａの裏面には、操作ツマミ１５のツメ部１５ｃを係止する円筒孔１１ｂが設けられ、円筒孔１１ｂの円筒部には、操作ツマミ１５による圧力逃し弁２２を開弁状態と閉弁状態とに保持するために、突起部１５ｄが係止される係止孔１１ｃが設けられている。
【００２５】
図４及び図５−１に示すように、操作ツマミ１５が初期位置にある場合、圧力逃し弁２２を開状態又は閉状態に保持するための突起部１５ｄが前パネル１１ａの係止孔１１ｃに係止されている。このとき、圧力逃し弁２２の操作レバー２２ｍは、操作レバー軸２２ｋを支点にして垂直下向きに支持され、圧力逃し弁２２は閉弁状態となっている。
【００２６】
この初期状態から操作ツマミ１５を１８０°回転させると、カム部１５ｂが回動し、図５−２に示すように、操作レバー２２ｍが、カム部１５ｂに押されて操作レバー軸２２ｋを支点にして時計方向に回動し、操作レバー２２ｍの角部２２ｎが、キャップ２２ｊに当接し、梃子の作用で揚弁棒２２ｉが引き寄せられ、圧力逃し弁２２は開弁状態となる。
【００２７】
また、操作ツマミ１５をさらに１８０°回転させれば、スプリング２２ｈの復帰力により、操作レバー２２ｍが垂直下向きに戻り、圧力逃し弁２２は閉弁状態となる。以上のように、実施の形態の貯湯式給湯機９１は、第２の操作部としての操作ツマミ１５により、高温の操作レバー２２ｍ及び圧力逃し弁２２に触れることなく、その開閉及びその保持を行うことができる。操作ツマミ１５は、樹脂製（断熱素材）であり、高温の操作レバー２２ｍ及び圧力逃し弁２２の熱が伝熱されることはない。
【００２８】
操作ツマミ１５のツメ部１５ｃ及び突起部１５ｄの両側には、スリット１５ｇが設けられていて、ツメ部１５ｃ及び突起部１５ｄは、円筒状のカム部１５ｂの内側に撓ませることができ、前パネル１１ａの円筒穴１１ｂから、容易に取外すことができる。
【００２９】
また、図５−１及び図５−２から明らかなように、圧力逃し弁２２は、操作ツマミ１５を取外した状態でも、前パネル１１ａの円筒穴１１ｂから手を入れて操作レバー２２ｍを操作することにより、開閉することができる。
【産業上の利用可能性】
【００３０】
以上のように、本発明にかかる貯湯式給湯機は、メンテナンスが容易な給湯機として有用である。
【図面の簡単な説明】
【００３１】
【図１】本発明にかかる貯湯式給湯機の実施の形態を示す模式図である。
【図２】実施の形態の操作ツマミを示す斜視図である。
【図３−１】実施の形態の貯湯式給湯機のハウジングを示す斜視図である。
【図３−２】実施の形態のハウジングの前パネルの一部を裏側から見た斜視図である。
【図４】実施の形態の操作ツマミと圧力逃し弁を示す斜視図である。
【図５−１】実施の形態の操作ツマミと圧力逃し弁の係合状態を示す側面図である。
【図５−２】実施の形態の操作ツマミと圧力逃し弁の係合状態を示す側面図である。
【図６】実施の形態の圧力逃し弁の断面図である。
【符号の説明】
【００３２】
１１  ハウジング
１１ａ  前パネル
１１ｂ  円筒孔（孔）
１１ｃ  係止孔
１２  貯湯タンク
１３  熱源機
１３ａ  吸入管
１３ｂ  吐出管
１４  接続配管
１５  操作ツマミ（第２の操作部）
１５ａ  ツマミ部
１５ｂ  カム部
１５ｃ  ツメ部
１５ｄ  突起部
１５ｇ  スリット
１６  給水管
１７  給湯管
１８  減圧弁
１９  給湯弁
２０  排水管
２１  排水栓
２２  圧力逃し弁
２２ａ  弁筐体
２２ｂ  流入口
２２ｃ  流出口
２２ｄ  隔壁
２２ｅ  弁口
２２ｆ  弁体
２２ｇ  弁座
２２ｈ  スプリング
２２ｉ  揚弁棒
２２ｊ  キャップ
２２ｋ  操作レバー軸
２２ｍ  操作レバー（第１の操作部）
２２ｎ  角部
２３  導通管
９１  貯湯式給湯機
【図１】
2010139168.tif 000003
【図２】
2010139168.tif 000004
【図３−１】
2010139168.tif 000005
【図３−２】
2010139168.tif 000006
【図４】
2010139168.tif 000007
【図５−１】
2010139168.tif 000008
【図５−２】
2010139168.tif 000009
【図６】
2010139168.tif 000010